(57)【特許請求の範囲】
【請求項１】
比較的に暗い雰囲気のフード（１）の内部に取り外し可能に設けられる廃棄用液体容器（６）の貯液位確認方法であって、
前記廃棄用液体容器（６）内の貯液位を室内から確認するための透光性材料で形成された窓部（５６）を、前記廃棄用液体容器（６）のフロント部（４６）に設け、
前記廃棄用液体容器（６）と同等高さレベルもしくは廃棄用液体容器（６）よりも下位レベルにて前記フード（１）内に設けられている照明器具（４ａ）からの光の一部を、前記廃棄用液体容器（６）内に取り入れることによって該廃棄用液体容器（６）内を明るく照らし、前記窓部（５６）を透して貯液位を室内から確認することができるようにしたことを特徴とするレンジフードファンにおける廃棄用液体容器の貯液位確認方法。
【請求項２】
比較的に暗い雰囲気のフード（１）の内部に取り外し可能に設けられる廃棄用液体容器（６）の貯液位確認装置であって、
貯液位を室内から確認するための透光性材料で形成された窓部（５６）を、フロント部（４６）に設けている廃棄用液体容器（６）と、
この廃棄用液体容器（６）と同等高さレベルもしくは廃棄用液体容器（６）よりも下位レベルにて前記フード（１）内に設けられる照明器具（４ａ）と、
この照明器具（４ａ）からの光の一部を、前記廃棄用液体容器（６）内に反射案内させて取り入れるための取入手段と、を備えて構成されていることを特徴とするレンジフードファンにおける廃棄用液体容器の貯液位確認装置。
【発明の詳細な説明】
【０００１】
【発明の属する技術分野】
本発明は、レンジフードファンにおける廃棄用液体容器の貯液位確認方法及びその装置に関するものである。
【０００２】
【従来技術】
厨房のガスレンジ、電気レンジなどの調理台の上方に設置されるレンジフードファンは、調理により発生した油煙中に含まれる油脂分（オイル）を除去する為に、送風機の吸込み口の上流側にフィルタを取り付け、そのフィルタで油煙中の油脂分（オイル）を効率良く捕獲するように構成され、そのフィルタや送風機内等に溜まる油脂分（オイル）をオイルトレイ（廃棄用液体容器）で受水し、定期的にそのオイルトレイを取り外すことによって、油脂分（オイル）を廃棄できるようにしてある。
また、電磁誘動加熱調理器（ＩＨクッキングヒータ）の上方に設置されるレンジフードファンは、燃焼ガスや上昇気流を伴わないことから、調理時に発生する湯気がフード体に付着して結露し、それが徐々に大きな粒となり、やがてＩＨクッキングヒータ上に滴下して汚してしまうため、同様にその結露水をトレイ（廃棄用液体容器）で受水し、その結露水を廃棄可能にしている。
従来、廃棄用液体容器は、フード体等に引っ掛けるように取り付けられており、比較的簡単に取り外しができるようになっている。
【０００３】
しかしながら、油脂分（オイル）や結露水の貯溜具合が高所であるにも拘わらず上方から覗き込んだり、いちいち取り外さなければ確認することができず、オーバーフローして調理用具を汚したり火災の原因にもなってしまう。
【０００４】
【発明が解決しようとする課題】
本発明は上記従来事情に鑑みてなされたもので、その目的とする処は、比較的暗い雰囲気のフード内に設けられる廃棄用液体容器であっても、廃棄用液（オイルや結露水）の貯液具合を容易に確認することができる構造簡単なレンジフードファンにおける廃棄用液体容器の貯液位確認方法及びその装置を提供することにある。
【０００５】
【課題を達成するための手段】
前記の目的を達成するために講じた本発明の技術的手段は、比較的に暗い雰囲気のフードの内部に取り外し可能に設けられる廃棄用液体容器の貯液位確認方法であって、
前記廃棄用液体容器（６）内の貯液位を室内から確認するための透光性材料で形成された窓部（５６）を、前記廃棄用液体容器（６）のフロント部（４６）に設け、
前記廃棄用液体容器（６）と同等高さレベルもしくは廃棄用液体容器（６）よりも下位レベルにて前記フード（１）内に設けられている照明器具（４ａ）からの光の一部を、前記廃棄用液体容器内に取り入れることによって該廃棄用液体容器内を明るく照らし、前記窓部を透して貯液位を室内から確認することができるようにしたことを特徴とするレンジフードファンにおける廃棄用液体容器の貯液位確認方法にある（請求項１）。
ここで、前記廃棄用液体容器としては、オイルトレイや結露水トレイを挙げることができる。
【０００６】
以上の技術的手段によれば、照明器具からオイルトレイや結露水トレイである廃棄用液体容器内に取り入れられた光よって、フード内が比較的に暗い雰囲気であっても、廃棄用液体容器内は明るく照らされる。これにより、廃棄用液体容器内の廃棄用液であるオイルや結露水の貯液位を、フロント部に設けた窓部を透して室内からハッキリと確認することができる。
【０００７】
また、本発明では、前記した貯液位確認方法を実施するための貯液位確認装置が、貯液位を室内から確認するための透光性材料で形成された窓部をフロント部に設けている廃棄用液体容器と、この廃棄用液体容器と同等高さレベルもしくは廃棄用液体容器よりも下位レベルにて前記フード部に設けられる照明器具と、この照明器具からの光の一部を、廃棄用液体容器内に反射案内させて取り入れるための取入手段と、を備えて構成されていることを特徴とする（請求項２）。
【０００８】
【発明の実施の形態】
次に、本発明廃棄用液体容器の貯液位確認装置を有するレンジフードファンの実施の形態を説明すると、図１〜図１５は、電磁誘導加熱式クッキングヒーター（ＩＨヒータ）を加熱調理器具とするレンジフードファンの実施の形態を示している。
【０００９】
レンジフードファンＡは、図２等に示すように、フード体１１、フィルタ２１１の支持板２１、支持板２１下位レベルに横設された結露水案内板３１等からなるフード１と、そのフード１内に設けた渦流生成体２と、フィルタ２１１の背後空間に設置した排気装置３と、前記渦流生成体２の下方に配置された照明４と、照明４を挟んで左右に配置され生成された渦勢力を増強させる制御流噴出部５、５と、両制御流噴出部５、５間に配置された廃棄用液体容器６とを備えた構成になっている。
【００１０】
フード体１１は、図１〜図３等に示すように天板１１１、左右側板１１２、背板１１３からなる側面視略直角三角形状に形成され、前方を開放させてある。
【００１１】
渦流生成体２は、本実施の形態では整流板（後述では符号１２を付して説明する）と呼称される面板であり、図１〜図３に示すようにフード体１１における前方開放部の下部を着脱可能な湾曲状カバー７で閉塞することによって残されたその上部部分に配設されている。
【００１２】
また、この整流板１２は、同図２に示すようにフード体１１内に収容状に配設されており、湯気を含む調理臭（上昇気流）Ｆが丁度衝突する部位を含んで全幅に亘って形成された下方へのガイド面１２１と、そのガイド面１２１の下位に同ガイド面１２１に連続して前方に向けて全幅に亘り円弧状に湾曲形成されたカール状面１２２とからなっている。
このカール状面１２２は、詳細には最も背板１１３側寄りの中途部よりも最下端を前方に位置させた円弧状にしてある。
【００１３】
そして、この整流板１２は、図２に示すようにフード体１１内の一段奥張った位置に設けられた支持板２１に上半部（一半部）側を、また下半部（他半部）側を結露水案内板３１に各々係脱可能に支持させてある。
【００１４】
前記結露水案内板３１は、同図２に示すように奥行き方向中途部を最下端とする扁平なＶの字状を呈し、左右端をフード体１１の左右側板１１２、１１２に支持させて排気装置３の下スペースを横断するように横設してなり、後端を後述する冷却部１８の下端開放部に支持させ、その最下端部位である尖頭部に結露水の落下孔３１１を散在状に開孔させてある（図８、図９、図１１、図１２参照）。
【００１５】
前記支持板２１は、同図２に示すように凹窪状を呈し、フード体１１の天板１１１前縁から下向きに折曲形成された操作部用の取付面１１１ａと、結露水案内板３１における整流板１２よりも若干後方の前半部部分とに亘って設けられており、整流板１２背後の底部分にフィルタ２１１を係脱可能に備えている。
また、この支持板２１の左右縁は、フード体１１の左右側板１１２、１１２内面に当接状となっている。
【００１６】
前記整流板１２は、同図２、図３に示すように、上縁と前記支持板２１の上側片部２１２との間及び左右縁とフード体１１の左右側板１１２、１１２との間に吸引用の隙間Ｓが形成されるようにフィルタ２１１の前方に収容状に配設され、取付手段９を介して支持板２１に係脱可能に支持させてある。
【００１７】
前記支持板２１と結露水案内板３１とで区画された背後空間には、同図２に示すように排気ダクトＤに接続して屋外に排気するシロッコファンからなる排気装置３が収容され、その結露水案内板３１の下位空間には、図３〜図５に示すように湾曲状カバー７に臨んで小型なシロッコファンからなる送風機１０、１０が照明４を挟んで左右に配設され、その送風機１０、１０に連絡する制御流噴出部５、５を、両送風機１０、１０間に配設した照明４真上の廃棄用液体容器（結露水トレイ）６を挟んでその両サイドの湾曲状カバー７部分に長さ方向ほぼ全長に亘って設けている。
【００１８】
また、調理時に発生して上昇する上昇気流Ｆが臨まない部分、本実施の形態ではフード体１１の天板１１１部分後端部分には、図２、図５に示すように前記室内空気の取り入れ部２８を開孔し、その取り入れ部２８と前記制御流噴出部５、５とを途中に排気装置３の駆動源１３を冷却する冷却部１８を有する路８で連絡させてある。
【００１９】
前記路８は、フード体１１の背板１１３を一構成部材として上端、下端双方を開放するエアーチャンバー３８と、そのエアーチャンバー３８の下端開放部に連通する前記結露水案内板下空間４８とからなり、その結露水案内板下空間４８に前記の通り送風機１０、１０を配設すると共に、そのエアーチャンバー３８内に駆動源（モータ）１３の後半部を配置して前記背後空間に排気装置３を設置し、フード体１１の天板１１１に開孔されている取り入れ部２８から吸気される室内空気が排気装置３の駆動源（モータ）１３を冷却しながら結露水案内板下空間４８を経由して２つの送風機１０、１０で吸気される経路を経て制御流噴出部５、５から室内に向けて噴出されるようになっている（図２〜図５参照）。
【００２０】
前記制御流噴出部５、５は、前記する２つの送風機１０、１０の吐出口に各々個別に接続されたボックス状流路１５，１５と、前記湾曲状カバー７に開孔された噴出孔１７…とからなっている。
【００２１】
前記ボックス状流路１５、１５各々は、図５に示すように幅方向中央の照明４を挟む両脇の空間部よりも若干幅狭な内部中空とする横長体からなるボックス体であり、図２に示すように中央部に長さ方向全長に亘って邪魔板１５１を横設し、該ボックス体１５の出口に噴出ノズル１５２を幅方向全長に亘って突出状に連設して、その噴出ノズル１５２の出口に臨む湾曲状カバー７部分の平段面２７に列状に間隔をおいて開孔されている噴出孔１７群から、後述される渦流Ｑの接線方向に向けて下方から斜め上向きに制御流を噴出するようになっている。
前記湾曲状カバー７は、図２に示すように前記平段面２７から直ぐ上位の部分に渦流Ｑの接線方向に向く直線状傾斜面３７で形成してある。
【００２２】
また、そのボックス状流路１５の噴出ノズル１５２は、照明側部分（詳細に一半部部分）を上方に延長した際交差するように正面視上向き傾斜状に設けてあり、図６、図７に示すようにその照明側部分内に、その全高に亘る長さを有する波形材１５２ａを正面視上向き傾斜状をもって内設して、照明４前方を上昇する上昇気流Ｆをも良好に整流板１２に中央部に確実に案内して渦流Ｑを同整流板１２の幅方向全長に亘り均一に発生させるようにしてある。
【００２３】
照明４は、前記する結露水案内板下空間４８において左右一対の送風機１０、１０間に収容状に配設され図８、図１１、図１２に示すように複数枚の反射板２４からなる収容部１４内に照明器具４ａを着脱可能に収容すると共に湾曲状カバー７に開口した収容部１４の開放部を照射パネル３４で係脱可能に被蓋して、下照明するようになっている。
また、その照明４の真上には、図８、図１１、図１２に示すように前記湾曲状カバー７に引き出し口２６を開口し、その引き出し口２６を前端に有して前記結露水案内板下空間４８に確保された容器引き出し部１６にレール状の容器支持部３６を設けて、その容器支持部３６で廃棄用液体容器６である結露水トレイを容器引き出し部１６に出し入れ可能に支承している。
【００２４】
この廃棄用液体容器６は、湾曲状カバー７に略同面状に沿うそのフロント部４６に透明な窓部５６を設けると共に、当該廃棄用液体容器６のフロント部４６をプッシュする度に容器引き出し部１６への同廃棄用液体容器６の収容状態での保持と同部からの室内への押出とを交互に繰り返すマグネットキャッチ手段Ｃを介して容器引き出し部１６に収容されている。
そして、この廃棄用液体容器６は、整流板１２、フィルタ２１１を支持する支持板２１に付着して流下する結露水を結露水案内板３１で集水して、その結露水案内板３１の落下孔３１１から落下するその結露水を受水する。
【００２５】
また、前記照明４には、図１２に示すように前記収容部１４の上側反射板２４に光洩れ部２４１として孔を開孔し、その孔から洩れる光を容器引き出し部１６に収容状態になっている廃棄用液体容器６内に光案内部４４を介して案内するように構成してある。
【００２６】
光案内部４４は、本実施の形態では平行する一枚〜複数枚の反射板で構成されており、照明器具４ａの収容部１４に形成されている光洩れ部２４１と、廃棄用液体容器６を抽斗式に出し入れ可能とする容器引き出し部１６と、この光案内部４４とで取入手段を構成して、光洩れ部２４１である孔から洩れる光を結露水トレイである廃棄用液体容器６内に案内し、同容器６内を明るくして窓部５６から貯液位をハッキリと確認できるようにする（図１２参照）。
【００２７】
整流板１２の取付手段９は、図１３〜図１５に示すように前記支持板３の上半部（一半部に相当）複数箇所に可動突起１９を設けると共に、整流板１２の裏面に可動突起１９を交差状に係止する被係止体２９を設け、整流板１２の下半部（他半部に相当）を引っ掛け部３９で結露水案内板３１に係脱可能に係止した実施の形態について説明する。
【００２８】
可動突起１９は、整流板１２の一半部、詳細には整流板１２の上側コーナーに対応して設けられている。
この可動突起１９は、支持板２１に設けた支持脚に圧縮弾機ｂを収容したバネ収容部１９１を取付け、圧縮弾機ｂで、先細状の拡大頭部１９２ａを備えた軸部１９２を支持した構成になっている。
本実施の形態では、拡大頭部１９２ａを円錐形状としているが、円錐台形状等、所謂先細状であればいかなる形状のものでも自由なものである。
一方、被係止体２９は、前記可動突起１９の拡大頭部１９２ａに対応して整流板１２の裏面に設けられており、その拡大頭部１９２ａを圧縮弾機ｂの弾撥力に抗して押動する外向傾斜部２９１をその先部に形成すると共に、中央部に拡大頭部よりも大形な空間部２９２を設け、その空間部２９２の上位側に同空間部２９２と連通して軸部１９２の受け部２９３を形成させて、空間部２９２と受け部２９３とで所謂ダルマ孔を形成している。
【００２９】
また、引っ掛け部３９は、整流板１２の下縁から突設された引っ掛け片部３９１を係脱可能に係止する係止孔３９２からなり、該係止孔３９２は結露水案内板３１に開孔されている。
【００３０】
そして、引っ掛け片部３９１を係止孔３９２に引っ掛けながら、左右２対の被係止体２９、可動突起１９を対応させた図１４（イ）（ロ）の状態から被係止体２９先部の外向傾斜部２９１で可動突起１９の拡大頭部１９２ａを圧縮弾機ｂの弾発力に抗して縮むように整流板１２をフード１の前方側から差し入れて同被係止体２９の空間部２９２に拡大頭部１９２ａを位置させた状態で、整流板１２を下方に引き下ろして軸部１９２を受け部２９３に係止して同整流板１２を支持板２１と平行状に取着する（図１４（ハ）（ニ）（ホ）（ヘ））。
そして、整流板１２を引き上げて若干空間部２９２に拡大頭部１９２ａを位置させてから拡大頭部１９２ａを圧縮弾機ｂが縮むように指でプッシュした状態で整流板１２を手前側に引っ張ることによって拡大頭部１９２ａの先細状の形状性で係止を解き、引っ掛け片部３９１を係止孔３９２から抜き取ることによって、例えばフィルタ２１１を清掃する時等に整流板１２を取り外すことができる（図１５）。
【００３１】
本実施の形態では図示しないが、前記支持板２１の両半部（一半部、下半部に相当）複数箇所に可動突起１９もしくは被係止体２９を設けて、その可動突起１９に対する被係止体２９の係脱可能な係止構成で整流板１２の取付手段９を構成することも自由なものである。
この場合の可動突起１９、被係止体２９のレイアウトは、支持板２１に整流板１２の上下両コーナーに対応して前記可動突起１９を設ける一方、整流板１２にその可動突起１９と対応して被係止体２９を設けることがその一例として提案できる。
【００３２】
本実施の形態では、前記カール状面の曲率をφ９０ｍｍとしてある。
【００３３】
以上のように構成されたレンジフードファンは、調理に伴って発生する湯気を含む調理臭（湯気を含む上昇気流）Ｆを、整流板１２のガイド面１２１に衝突させて下向きに案内し、そのガイド面１２１に連続して前方に向けて円弧状に湾曲形成したカール状面１２２で更に案内する際に負圧作用を生み出し、それによって渦流Ｑを生成する（図１〜図４参照）。
その渦流Ｑに、上昇気流Ｆの上昇勢力を妨げることなくフード体１１の天板１１１から取り入れた室内空気を渦勢力増強用の制御流Ｅとして、２個の制御流噴出部５、５から直線状傾斜面３７をガイド面として渦流Ｑの接線方向に向けて下方から斜め上向きに湾曲状カバー７の直線状傾斜面３７に沿って噴出し、それによって上昇気流Ｆを素早く取り込む所要勢力の渦流Ｑをより安定して発生させることができるようになる（図２〜図４参照）。
そして、制御流噴出部５、５を整流板１２の下方におけるフード体１１の幅方向中央に設けられた照明４を避けて両サイドに設けなければならない制約下であっても、その制御流噴出部５、５の照明４側部分を上方に延長した際、交差するように正面視上向き傾斜状に設けているため（図６、図７参照）、制御流Ｅを整流板１２の幅方向全長に亘って下方から噴出させて、渦流Ｑを同整流板１２の幅方向全長に亘り均一に発生させて、上昇気流Ｆの捕集効率及び排気効率を向上することができる（図４参照）。
この渦流Ｑをフード体１１の左右側板１１２、１１２と整流板１２との間に確保された左右の隙間Ｓ、Ｓから分担してフィルタ２１１を経て排気装置３で吸引し、屋外に排気する（図２、図４参照）。
これによって、フード体１１外に拡散することなく上昇気流Ｆを高効率に捕集して排気することができる。尚、前記ガイド面１２１に衝突した際に、下向きに案内されない上昇気流も存在するが、前記支持板２１の上側片部２１２と整流板１２の上縁との間の隙間Ｓから吸引される。
【００３４】
【実施例】
全幅７５０ｍｍ、奥行き６３０ｍｍ、全高４５０ｍｍのフード体１１に前記のように上昇気流Ｆが丁度衝突する部分を含んで形成した緩傾斜状のガイド面１２１の下位に連続してφ９０ｍｍのカール状面１２２を前向き円弧状に湾曲形成し、また前記支持板２１の上側片２１１部と整流板１２上縁との隙間Ｓからの吸引風速を２〜３ｍ／sec、フード体１１の左右側板１１２、１１２と整流板１２左右縁との隙間Ｓからの吸引風速を０．５〜２ｍ／secに各々設定し、直線状傾斜面３７を３８度の傾斜角度（仰角）をもって制御流噴出部５、５各々から風速２〜３ｍ／secで制御流を噴出した。
【００３５】
これによると、目視ではあるが、立ち昇る湯気を含む調理臭（上昇気流）Ｆは室内空気の取り入れ部２８に吸引されることなく、また噴出される制御流Ｅで妨害を受けることもなく、整流板１２の全幅に亘って生成された渦流Ｑに引き寄せられ巻き込まれてフード体１１から洩気することなく捕集して排気されるものであった。
【００３６】
尚、前記制御流噴出部５、５からの制御流Ｅの風速や、各隙間Ｓ…からの吸引風速、直線状傾斜面３７の角度（向き）、制御流噴出部５、５における照明側部分の正面視角度等は、それらの相互の相関関係やフード体の大きさ等の諸条件をもって設定されるが、制御流噴出部５、５の傾斜角度（仰角）が小さくなることに反比例して制御流Ｅの風速を大きくする必要はある。
しかしながら、その制御流Ｅの風速は、制御流噴出部５、５からの噴出圧で上昇気流の上昇が妨げることなく所要勢力の渦流Ｑを安定生成する所要風速を実験で求めること言うまでもないものである。
【００３７】
言うまでもないが、本発明のレンジフードファンは、ガスコンロ、電気コンロ等の加熱調理器具に等しく使用可能である。
【００３８】
次に、図１６に示す他の実施の形態を説明すると、その実施の形態は、ブーツ型と呼称されるレンジフードファンにおける廃棄用液体容器の貯液位確認方法及びその装置を示している。
【００３９】
このレンジフードファンＡは、図示するように前方と下方を開放したフード体１１とその前方開放部を開閉可能に被蓋する前板４１とフード体１１の下側開放部を係脱可能に被蓋する深絞成形されたフィルター支持板５１とからなるフード１のそのフィルター２１１よりも若干下方に位置する支持体の傾斜面に廃棄用液体容器６を係脱可能に設け、その廃棄用液体容器６よりも下位レベル位置に照明器具４ａを設置し、その照明器具４ａからの光の一部を廃棄用液体容器６に取り入れるように構成されている。
【００４０】
光の取入手段が、照明器具４ａの収容部１４に形成されている光洩れ部（光洩れ孔）２４１と、その光洩れ部（光洩れ孔）２４１からの光を廃棄用液体容器６内に案内する反射板からなる光案内部４４とから構成されること前記する実施の形態と差異はない。
【００４１】
無論、廃棄用液体容器６は、一部または全部を透光性材料で形成して、フィルタ支持板５１への係止時に吊持状態になるように構成して、貯液位を室内から認識可能とし、フィルタ２１１から溢れ出す油脂分及び排気装置３のケーシング２３に溜まる油脂分を落下によって受水するようになっている。
【００４２】
他のタイプのレンジフードファン、例えば平型などについては詳述しないが、前記実施の形態と同様に、貯液位を室内から確認するための透光性材料で形成されている窓部を廃棄用液体容器のフロント部に設け、その廃棄用液体容器内に、照明器具からの光の一部を反射案内させて取り入れる構成を採用すること同様である。
【００４３】
【発明の効果】
本発明は以上のように、廃棄用液体容器を使用状態でその貯液位を室内から認識できるように構成し、更に照明器具からの光の一部を取り入れるようにした方法及び装置であるので、比較的暗い雰囲気のフード内に設けられる廃棄用液体容器であっても、レンジフードファンに設けた照明器具からの光の一部を有効利用してオイルトレイ（廃棄用液体容器）内や結露水トレイ（廃棄用液体容器）内の貯液位を室内からハッキリと確認させて、廃棄を促し、オーバーフローによる汚染、火災を未然に防止することができる。
しかも、廃棄用液体容器と同等もしくはそれよりも下位レベルに照明器具を設け、その照明器具からの光の一部を取入れるようにしているため、照明が廃棄用液体容器で妨げられず手元を明るくして調理具合等をより見易くした上にオイルトレイや結露水トレイを明るく照らし、貯液位を室内からハッキリと確認することができる。
【図面の簡単な説明】
【図１】本実施の形態廃棄用液体容器の貯液位確認装置を有するレンジフードファンの側面図で一部切欠して示す。
【図２】レンジフードファンの拡大側面図で一部切欠して示す。
【図３】同レンジフードファンの斜め下方からの斜視図。
【図４】上昇気流、生成される渦流、制御流の関係を示すレンジフードファンの正面図。
【図５】図２の（５）−（５）線断面図。
【図６】送風機に接続されるボックス状流路の拡大斜視図。
【図７】同ボックス状流路の拡大正面図で断面して示す。
【図８】廃棄用液体容器、照明部分の側面図で拡大し、断面して示す。
【図９】図８の（９）−（９）線拡大断面図。
【図１０】廃棄用液体容器を外した状態を示す側面図で拡大し、断面して示す。
【図１１】廃棄用液体容器の斜視図。
【図１２】照明の光を一部取り入れて廃棄用液体容器内を照らしている状態を示す側面図で拡大し、断面して示す。
【図１３】整流板をフードに係止した状態を示す拡大側面図で一部省略して示す。
【図１４】可動突起と、被係止体との関係を示す拡大図で、（イ）は、被係止体を、可動突起に係止する前の状態を示す正面図で被係止体を断面して示す。（ロ）は、同側面図。（ハ）は、被係止体の外向傾斜部が可動突起の拡大頭部を押動する状態を示す正面図で被係止体を断面して示す。（ニ）は、同拡大頭部を押動しつつ被係止体が移動する状態を正面図で、被係止体を断面して示す。（ホ）は、拡大頭部が空間部から突出する状態を示す正面図で、被係止体を断面して示す。（へ）は、受け部に軸部を係止する状態を示す側面図。
【図１５】拡大頭部を、圧縮弾機を縮めるように人為的に押動して可動突起に対する被係止体の係止を解除する状態を示す拡大正面図で、一部切欠する。
【図１６】  他の実施の形態を示すレンジフードファンの側面断面図。
【符号の説明】
Ａ：レンジフードファン                １：フード
１１：フード体                      ２１１：フィルタ
３：排気装置                          ２：渦流生成体
１１２：フード体の左右側板                Ｓ：隙間
１２１：ガイド面                      １２２：カール状面
５：制御流噴出部                      ７：カバー（湾曲状カバー）
Ｆ：上昇気流                          Ｅ：制御流
Ｑ：渦流                            ２８：取り入れ部
１８：冷却部                            ８：路
４：照明                              ６：廃棄用液体容器
１２：整流板                          ４ａ：照明器具
Ｃ：マグネットキャッチ手段        ２９３：受け部
３９：引っ掛け部                        １４：収容部
２４１：光洩れ部                        ４４：光案内部
１９：可動突起                    １９２ａ：拡大頭部
２９：被係止体                          ｂ：圧縮弾機
１９２：軸部                          ２９２：空間部
２９１：外向傾斜部                      １６：容器引き出し部
４６：フロント部
【図１】
0003906094.tif 000002
【図２】
0003906094.tif 000003
【図３】
0003906094.tif 000004
【図４】
0003906094.tif 000005
【図５】
0003906094.tif 000006
【図６】
0003906094.tif 000007
【図７】
0003906094.tif 000008
【図８】
0003906094.tif 000009
【図９】
0003906094.tif 000010
【図１０】
0003906094.tif 000011
【図１１】
0003906094.tif 000012
【図１２】
0003906094.tif 000013
【図１３】
0003906094.tif 000014
【図１４】
0003906094.tif 000015
【図１５】
0003906094.tif 000016
【図１６】
0003906094.tif 000017